【手続補正書】
【提出日】令和2年12月11日(2020.12.11)
【手続補正１】
【補正対象書類名】特許請求の範囲
【補正対象項目名】全文
【補正方法】変更
【補正の内容】
【特許請求の範囲】
【請求項１】
ポリマー発泡体層と、ポリマー発泡体層に隣接する第１の感圧接着剤層と、を含む、多層感圧接着剤アセンブリであって、前記ポリマー発泡体が、
ａ）式Ｑｎ−Ｙを有する多腕ブロックコポリマーであって、
（ｉ）Ｑは多腕ブロックコポリマーの腕を表し、各腕は独立して式Ｇ−Ｒを有し、
（ｉｉ）ｎは腕の数を表し、少なくとも３の整数であり、
（ｉｉｉ）Ｙは多官能性カップリング剤の残基であり、
式中、各Ｒは、重合共役ジエン、重合共役ジエンの水素化誘導体、又はこれらの組合せを含むゴム状ブロックであり、各Ｇは、重合モノビニル芳香族モノマーを含むガラス状ブロックである、多腕ブロックコポリマーと、
ｂ）重量平均分子量Ｍｗが少なくとも１０，０００ｇ／ｍｏｌであるポリマー可塑剤と、
ｃ）実験の項に記載の減量試験法に従い熱重量分析により測定した場合に、揮発性有機化合物（ＶＯＣ）値が１０００ｐｐｍ未満である少なくとも１種の炭化水素粘着付与剤と、
ｄ）任意選択の、式Ｌ−（Ｇ）ｍを有する直鎖状ブロックコポリマー［式中、Ｌは、重合オレフィン、重合共役ジエン、重合共役ジエンの水素化誘導体、又はこれらの任意の組合せを含むゴム状ブロックであり、ｍは１又は２である］と、
を含み、前記第１の感圧接着剤が、
ａ）式Ｍ−（Ｇ）ｐを有する直鎖状ブロックコポリマー［式中、Ｍは、重合オレフィン、重合共役ジエン、重合共役ジエンの水素化誘導体、又はこれらの任意の組合せを含むゴム状ブロックであり、ｐは１又は２である］と、
ｂ）少なくとも１種の第２の炭化水素粘着付与剤と、
ｃ）２５℃より高いＴｇ及び１０００〜１００，０００ダルトンの重量平均分子量（Ｍｗ）を有する（メタ）アクリレートコポリマーであって、
（ｉ）単独重合したときに２５℃より高いＴｇを有する（メタ）アクリル酸エステルモノマー単位、及び
（ｉｉ）任意選択の単官能性エチレン性不飽和コモノマー単位、
を含む（メタ）アクリレートコポリマーと、
ｄ）任意選択の、式Ｓｑ−Ｚを有する多腕ブロックコポリマーであって、
（ｉ）Ｓは多腕ブロックコポリマーの腕を表し、各腕は独立して式Ｇ−Ｎを有し、
（ｉｉ）ｑは腕の数を表し、少なくとも３の整数であり、
（ｉｉｉ）Ｚは多官能性カップリング剤の残基であり、
式中、各Ｎは、重合共役ジエン、重合共役ジエンの水素化誘導体、又はこれらの組合せを含むゴム状ブロックである、多腕ブロックコポリマーと、
ｅ）任意選択の、式Ｔ−（Ｇ）を有するジブロックコポリマー［式中、Ｔは、重合オレフィン、重合共役ジエン、重合共役ジエンの水素化誘導体、又はこれらの任意の組合せを含むゴム状ブロックである］と、
を含む、多層感圧接着剤アセンブリ。
【請求項２】
前記炭化水素粘着付与剤が、実験の項に記載の減量試験法に従い熱重量分析により測定した場合に、８００ｐｐｍ未満の揮発性有機化合物（ＶＯＣ）値を有する、請求項１に記載の多層感圧接着剤アセンブリ。
【請求項３】
（ａ）前記式Ｑｎ−Ｙを有する多腕ブロックコポリマーの前記ゴム状ブロックＲ及び／又は前記式Ｓｑ−Ｚを有する多腕ブロックコポリマーの前記ゴム状ブロックＮが、イソブチレンであるように選択されるオレフィン、又はイソプレン、ブタジエン、及びこれらの任意の組合せからなる群から選択される共役ジエンを含む、
（ｂ）前記式Ｌ−（Ｇ）ｍを有する直鎖状ブロックコポリマーの前記ゴム状ブロックＬ及び／又は前記式Ｍ−（Ｇ）ｐを有する直鎖状ブロックコポリマーの前記ゴム状ブロックＭが、イソブチレンであるように選択されるオレフィン、又はイソプレン、ブタジエン、及びこれらの任意の組合せからなる群から選択される共役ジエンを含む、
（ｃ）前記式Ｔ−（Ｇ）を有するジブロックコポリマーの前記ゴム状ブロックＴが、イソブチレンであるように選択されるオレフィン、又はイソプレン、ブタジエン、及びこれらの任意の組合せからなる群から選択される共役ジエンを含む、
（ｄ）前記式Ｌ−（Ｇ）ｍを有する直鎖状ブロックコポリマーの少なくとも１つのガラス状ブロックＧ及び／又は前記式Ｍ−（Ｇ）ｐを有する直鎖状ブロックコポリマーの少なくとも１つのガラス状ブロックＧが、スチレン、スチレン相容性ブレンド、及びこれらの任意の組合せからなる群から選択されるモノビニル芳香族モノマーである、
（ｅ）前記式Ｑｎ−Ｙを有する多腕ブロックコポリマーの前記ガラス状ブロックのうちの少なくとも１つ及び／又は前記式Ｓｑ−Ｚを有する多腕ブロックコポリマーの前記ガラス状ブロックのうちの少なくとも１つが、スチレン、スチレン相容性ブレンド、及びこれらの任意の組合せからなる群から選択されるモノビニル芳香族モノマーである、
とするとき、前記（ａ）ないし（ｅ）のいずれか少なくとも１つまたはそれらの任意の組み合わせを満たす、
請求項１又は２に記載の多層感圧接着剤アセンブリ。
【請求項４】
前記ポリマー発泡体が、
ａ）前記ポリマー発泡体の重量に基づいて、２０重量％〜８０重量％の前記多腕ブロックコポリマーと、
ｂ）前記ポリマー発泡体の重量に基づいて、２０重量％〜７０重量％の前記炭化水素粘着付与剤と、
ｃ）前記ポリマー発泡体の重量に基づいて、２重量％〜２０重量％の前記ポリマー可塑剤と、
ｄ）任意選択の、前記ポリマー発泡体の重量に基づいて、３重量％〜４０重量％の直鎖状ブロックコポリマーと、
ｅ）任意選択の、前記ポリマー発泡体の重量に基づいて、０．１重量％〜１０重量％の架橋添加剤と、を含む、請求項１〜３のいずれか一項に記載の多層感圧接着剤アセンブリ。
【請求項５】
前記（メタ）アクリレートコポリマーが、５０００〜８０，０００ダルトンの間に含まれる重量平均分子量（Ｍｗ）を有する、請求項１〜４のいずれか一項に記載の多層感圧接着剤アセンブリ。
【請求項６】
前記（メタ）アクリレートコポリマーが、
ａ）８５〜９９．９重量％の、２５℃超のＴｇを有する（メタ）アクリル酸エステルモノマー単位と、
ｂ）任意選択の、０．１〜１５重量％の単官能性エチレン性不飽和コモノマー単位と、を含み、
ここで、重量パーセントが、前記（メタ）アクリレートコポリマーの総重量に基づく、請求項１〜５のいずれか一項に記載の多層感圧接着剤アセンブリ。
【請求項７】
前記第１の感圧接着剤が、
ａ）前記第１の感圧接着剤の重量に基づいて、２０重量％〜８０重量％の、式Ｍ−（Ｇ）ｐを有する直鎖状ブロックコポリマーと、
ｂ）前記第１の感圧接着剤の重量に基づいて、２０重量％〜７０重量％の第２の炭化水素粘着付与剤と、
ｃ）前記第１の感圧接着剤の重量に基づいて、３重量％〜２５重量％の（メタ）アクリレートコポリマーと、
ｄ）前記第１の感圧接着剤の重量に基づいて、１重量％〜１５重量％の、任意選択の、式Ｓｑ−Ｚを有する多腕ブロックコポリマーと、
ｅ）前記第１の感圧接着剤の重量に基づいて、１重量％〜２０重量％の、任意選択の、式Ｔ−（Ｇ）を有するジブロックコポリマーと、
ｆ）任意選択の、第１の感圧接着剤発泡体の重量に基づいて、０．１重量％〜１０重量％の架橋添加剤と、を含む、請求項１〜６のいずれか一項に記載の多層感圧接着剤アセンブリ。
【請求項８】
前記ポリマー発泡体層と前記第１の感圧接着剤層との溶融共押出によって得られる、請求項１〜７のいずれか一項に記載の多層感圧接着剤アセンブリ。
【請求項９】
前記ポリマー発泡体層、前記第１の感圧接着剤層、及び任意選択の第２の感圧接着剤層を溶融共押出しする工程を含む、請求項１〜８のいずれか一項に記載の多層感圧接着剤アセンブリの製造方法。
【請求項１０】
工業用である、請求項１〜９のいずれか一項に記載の多層感圧接着剤アセンブリ。